(57)【特許請求の範囲】
【請求項１】
１つの電源から電力の供給を受けるソレノイド及び複数の冷却用ファンを備えた電子機器であって、
上記ソレノイドを駆動する際に、上記ソレノイドを流れる電流の過渡的な変動と上記各冷却用ファンを流れる電流の過渡的な変動とを互いに相殺させるタイミングで、そのとき駆動中である上記複数の冷却用ファンを順次停止し、上記ソレノイドの駆動を停止する際に上記複数の冷却用ファンを再駆動する駆動制御手段を、
備えたことを特徴とする電子機器。
【請求項２】
上記電子機器は、被記録媒体に画像を形成する画像形成手段を備えた画像形成装置であって、
上記ソレノイドは、上記画像形成手段への被記録媒体の供給／非供給を切り換えるためのものであることを特徴とする請求項１記載の電子機器。
【発明の詳細な説明】
【技術分野】
【０００１】
本発明は、１つの電源から電力の供給を受ける複数の電装品を備えた電子機器に関し、詳しくは、上記電源の電源電圧の安定化を考慮した電子機器に関する。
【背景技術】
【０００２】
従来より、例えばレーザプリンタ等の各種電子機器の直流電源として、ＣＰＵ等に給電するための比較的低電圧（例えば３．３Ｖ）の安定化された制御系用出力と、プリンタエンジンやファンなどの複数の電装品に電力を供給するための比較的高電圧（例えば２４Ｖ）の駆動系用出力とを有する電源が使用される場合がある。また、この種の電源としては、上記制御系用出力と駆動系用出力とを２次側に有する１つのトランスを含むスイッチング電源が使用される場合がある。
【０００３】
この種の電源では、駆動系用出力の負荷が小さく、制御系用出力の負荷が大きい場合、その制御系用出力の電圧を安定化しようとすると駆動系用出力の電圧が上昇してしまうことがある。そこで、このような場合、ファンなどの負荷を駆動することにより駆動系用出力の負荷を大きくして、駆動系用出力の電圧上昇を抑制することが提案されている（例えば、特許文献１参照）。
【特許文献１】特開平１１−１９６５７４号公報
【発明の開示】
【発明が解決しようとする課題】
【０００４】
ところが、上記技術では、駆動系用出力の負荷が急に大きくなってその出力電圧が低下した場合などには対応できず、駆動系用出力の電圧が大きく変動する可能性があった。また、上記のように制御系用，駆動系用の２系統の出力を有する電源に限らず、１つの電源から複数の電装品が電力の供給を受ける場合は、１つの電装品が駆動されて負荷が大きくなると同様に電圧が変動する可能性がある。そこで、本発明は、１つの電源から電力の供給を受ける複数の電装品を備えた電子機器において、その複数の電装品のいずれかが駆動された場合にも電源電圧の変動を良好に抑制することを目的としてなされた。
【課題を解決するための手段】
【０００５】
上記目的を達するためになされた本発明は、１つの電源から電力の供給を受けるソレノイド及び複数の冷却用ファンを備えた電子機器であって、上記ソレノイドを駆動する際に、上記ソレノイドを流れる電流の過渡的な変動と上記各冷却用ファンを流れる電流の過渡的な変動とを互いに相殺させるタイミングで、そのとき駆動中である上記複数の冷却用ファンを順次停止し、上記ソレノイドの駆動を停止する際に上記複数の冷却用ファンを再駆動する駆動制御手段を、備えたことを特徴としている。
【０００６】
このように構成された本発明では、駆動制御手段は、１つの電源から電力の供給を受けるソレノイド及び複数の冷却用ファンのうちのソレノイドを駆動する際に、そのとき駆動中である複数の冷却用ファンを、上記ソレノイドを流れる電流の過渡的な変動と上記各冷却用ファンを流れる電流の過渡的な変動とを互いに相殺させるタイミングで、順次停止する。このため、上記ソレノイドの駆動による負荷の増加と、上記各冷却用ファンの駆動停止による負荷の減少とが相殺し合い、上記１つの電源に対する負荷の変動を抑制することができる。また、駆動制御手段は、上記ソレノイドの駆動を停止する際に上記複数の冷却用ファンを再駆動する。このため、上記ソレノイドの駆動停止による負荷の減少と、上記各冷却用ファンの駆動による負荷の増加とが相殺し合い、この場合も上記１つの電源に対する負荷の変動を抑制することができる。このように、本発明の電子機器では、上記１つの電源に対する負荷の変動を抑制して、その電源電圧の変動を良好に抑制することができる。
【０００７】
また、冷却用ファンは駆動／停止を一時的に切り換えても電子機器の主たる動作に影響を及ぼさない。従って、本発明では、電子機器の主たる動作に影響を及ぼすことなく電源電圧の変動を抑制することができる。また、ソレノイドは比較的大きい負荷であるので、上記のように負荷変動を抑制する効果が一層顕著に表れる。
【０００８】
更に、ソレノイドを駆動する際の負荷の増加（電流の増加）は比較的緩やかであるのに対し、冷却用ファンを停止したときの負荷の減少（電流の減少）は比較的急峻である。このため、ソレノイドを駆動する際に上記タイミングで複数の冷却用ファンを順次停止すれば、負荷の増加と減少とを一層良好に相殺させて、全体としての負荷の変動を一層良好に抑制することができる。従って、この場合、電源電圧の変動を一層良好に抑制することができる。
【０００９】
更に、上記電子機器は、被記録媒体に画像を形成する画像形成手段を備えた画像形成装置であって、上記ソレノイドは、上記画像形成手段への被記録媒体の供給／非供給を切り換えるためのものであってもよい。
【発明を実施するための最良の形態】
【００１０】
次に、本発明の実施の形態を、図面と共に説明する。なお、以下に説明するように、本実施の形態は、画像形成装置としてのいわゆるレーザプリンタに本発明を適用したものである。
【００１１】
１．レーザプリンタの全体構成
図１は本実施の形態に係るレーザプリンタ１の外観を表す斜視図であり、このレーザプリンタ１は、紙面上側を重力方向上方側として設置され、通常、紙面左手前側を前側として使用される。
【００１２】
そして、レーザプリンタ１の筐体３は略箱状（直方体状）に形成されており、この筐体３の上面側には、印刷を終えて筐体３から排出された被記録媒体が載置される排紙トレイ５が設けられている。なお、本実施の形態では、被記録媒体として、紙やＯＨＰシート等の用紙を想定している。
【００１３】
また、排紙トレイ５は、後方側に向かうほど、筐体３の上面から下がるように傾斜した傾斜面５ａにて構成されており、この傾斜面５ａの後端側には、印刷が終了した被記録媒体が排出される排出部７が設けられている。
【００１４】
そして、筐体３のうち排紙トレイ５（傾斜面５ａ）を囲むように略コの字状に形成された上カバー９には、レーザプリンタ１をネットワークに接続する場合とネットワークから切り離す場合とを切り替えるラインスイッチ１ａ、及び印刷を強制的に終了（中断）させるジョブキャンセルスイッチ１ｂ等が設けられている。
【００１５】
２．レーザプリンタの内部構成
図２はレーザプリンタ１の内部構成を表す縦断面図である。レーザプリンタ１の内部に収容された画像形成部１０は被記録媒体に画像を形成する画像形成手段を構成するものであり、フィーダ部２０は、画像形成部１０に被記録媒体を供給する搬送手段の一部を構成するものである。
【００１６】
第１排出シュート３０及び第２排出シュート４０は、画像形成部１０にて画像形成が終了した被記録媒体の搬送方向をＵターンさせるように略１８０°転向させて、被記録媒体を定着器ユニット９０（詳細は、後述する）の上方に設けられた排出部７に案内する案内部材を構成するものである。
【００１７】
正逆切替機構５０は、画像形成部１０から排出された被記録媒体の搬送方向を反転させると共に、搬送方向が反転された被記録媒体を再び画像形成部１０側に搬送する排紙ローラ反転機構を構成するものであり、両面印刷ユニット６０は、正逆切替機構５０にて搬送方向が反転された被記録媒体の搬送経路を構成するものである。
【００１８】
２．１．フィーダ部
フィーダ部２０は、筐体３の最下部に収納された給紙トレイ２１、給紙トレイ２１の前端部上方に設けられて画像形成部１０に被記録媒体を搬送する給紙ローラ２２、並びに給紙ローラ２２にて搬送される被記録媒体を１枚毎に分離する分離ローラ２３及び分離パッド２４等を有して構成されている。そして、給紙トレイ２１に載置されている被記録媒体は、筐体３内前側にてＵターンするようにして、筐体３内の略中央部に配設された画像形成部１０に搬送される。
【００１９】
なお、給紙トレイ２１から画像形成部１０に至る被記録媒体の搬送経路のうち、略Ｕ字状に転向する部位の頂部外側には、被記録媒体の画像形成面（印刷面）に付着した紙粉等を取り除く紙粉取りローラ２５が配設され、その頂部内側には搬送される被記録媒体を紙粉取りローラ２５に押圧する対向ローラ２６が配設されている。
【００２０】
また、給紙トレイ２１から画像形成部１０に至る搬送経路のうち画像形成部１０の入口には、被記録媒体に搬送抵抗を付与して被記録媒体の搬送状態を整える一対のローラからなるレジストローラ２７が配設されている。
【００２１】
２．２．画像形成部
画像形成部１０は、スキャナ部７０、プロセスカートリッジ８０及び定着器ユニット９０等を有して構成されている。
【００２２】
２．２．１．スキャナ部
スキャナ部７０は、筐体３内の上部に設けられて後述する感光体ドラム８１の表面に静電潜像を形成するものであり、図示しないレーザ光源、ポリゴンモータ４５０によって駆動されるポリゴンミラー７２、ｆθレンズ７３、反射鏡７４、レンズ７５、及び反射鏡７６を有して構成されている。
【００２３】
そして、レーザ光源から発光される画像データに基づくレーザビームは、ポリゴンミラー７２で偏向されて、ｆθレンズ７３を通過した後、反射鏡７４によって光路が折り返され、更にレンズ７５を通過した後、反射鏡７６によって光路が下方に屈曲されることにより、感光体ドラム８１の表面上に照射され、静電潜像が形成される。
【００２４】
２．２．２．プロセスカートリッジ
プロセスカートリッジ８０は、スキャナ部７０の下方側において着脱可能に筐体３内に配設されており、このプロセスカートリッジ８０は、感光体ドラム８１、帯電器８２、転写ローラ８３、及び、現像カートリッジ８４等から構成されている。
【００２５】
感光体ドラム８１は、最表層がポリカーボネート等からなる正帯電性の感光層により形成される円筒状のドラム本体８１ａと、このドラム本体８１ａの軸心において、ドラム本体８１ａの長手方向に沿って延びてドラム本体８１ａを回転可能に支持するドラム軸８１ｂとを有して構成されている。
【００２６】
帯電器８２は、上記レーザビームによる静電潜像形成に先立って感光体ドラム８１の表面を帯電させるもので、感光体ドラム８１の後側斜め上方において、感光体ドラム８１と接触しないように所定間隔を有して感光体ドラム８１と対向配設されている。なお、本実施の形態に係る帯電器８２は、コロナ放電を利用して感光体ドラム８１の表面に略均一に正電荷を帯電させるスコロトロン型帯電器を採用している。
【００２７】
転写ローラ８３は、感光体ドラム８１と対向して配設されて感光体ドラム８１の回転と連動して回転し、被記録媒体が感光体ドラム８１近傍を通過する際に、感光体ドラム８１に帯電した電荷と反対の電荷（本実施の形態では、負電荷）を印刷面とは反対側から被記録媒体に作用させることにより、感光体ドラム８１の表面に付着したトナーを被記録媒体の印刷面に転写させる転写手段をなすものである。
【００２８】
現像カートリッジ８４は、トナーが収容されたトナー収容室８４ａ、トナーを感光体ドラム８１に供給するトナー供給ローラ８４ｂ及び現像ローラ８４ｃ等を有して構成されている。
【００２９】
そして、トナー収容室８４ａに収容されているトナーは、トナー供給ローラ８４ｂの回転によって現像ローラ８４ｃ側に供給される。更に、現像ローラ８４ｃ側に供給されたトナーは、現像ローラ８４ｃの表面に担持され、層厚規制ブレード８４ｄにより所定の厚みとなるように調整されると共に摩擦帯電された後、スキャナ部７０にて露光された感光体ドラム８１の表面に供給される。
【００３０】
２．２．３．定着器ユニット
定着器ユニット９０は、被記録媒体の搬送方向において感光体ドラム８１より下流側に配設され、被記録媒体に転写されたトナーを加熱溶融させて定着させるものである。具体的には、定着器ユニット９０は、被記録媒体の印刷面側に配設されてトナーを加熱する加熱ローラ９１、及び、被記録媒体を挟んで加熱ローラ９１と反対側に配設されて被記録媒体を加熱ローラ９１側に押圧する加圧ローラ９２等を有して構成されている。
【００３１】
因みに、本実施の形態に係る加熱ローラ９１は、表面がフッ素樹脂によってコーティングされた金属管と、その金属管内に加熱のためのハロゲンランプとから構成されており、一方、加圧ローラ９２は、金属製のローラ軸を、ゴム材料からなるローラで被覆することにより構成されている。
【００３２】
以上に説明した画像形成部１０においては、以下のようにして被記録媒体に画像が形成される。
すなわち、感光体ドラム８１の表面は、その回転に伴って、帯電器８２により一様に正帯電された後、スキャナ部７０から照射されるレーザビームの高速走査により露光される。これにより、感光体ドラム８１の表面には、被記録媒体に形成すべき画像に対応した静電潜像が形成される。
【００３３】
次いで、現像ローラ８４ｃの回転により、現像ローラ８４ｃ上に担持され、かつ、正帯電されているトナーが、感光体ドラム８１に対向して接触するときに、感光体ドラム８１の表面上に形成されている静電潜像、つまり、一様に正帯電されている感光体ドラム８１の表面のうち、レーザビームによって露光され電位が下がっている露光部分に供給される。これにより、感光体ドラム８１の静電潜像は、可視像化され、感光体ドラム８１の表面には、反転現像によるトナー像が担持される。
【００３４】
その後、感光体ドラム８１の表面上に担持されたトナー像は、転写ローラ８３に印加される転写バイアスによって被記録媒体に転写される。そして、トナー像が転写された被記録媒体は定着器ユニット９０に搬送されて加熱され、トナー像として転写されたトナーが被記録媒体に定着して、画像形成が完了する。
【００３５】
２．３．第１排出シュート
本実施の形態に係るレーザプリンタ１では、第１排出シュート３０は、図２に示すように、筐体３内の後端側に配設され、かつ、筐体３の後端側、つまり第１排出シュート３０の近傍には、筐体３に形成された開口部３ａを開閉するリアカバー３ｂが回転可能に組み付けられている。
【００３６】
また、第１排出シュート３０は、被記録媒体の搬送方向において定着器ユニット９０より搬送方向下流側に配設されていると共に、画像形成部１０にて画像形成が終了した被記録媒体の搬送方向を略９０°転向させて被記録媒体を第２排出シュート４０に案内する。
【００３７】
なお、第１排出シュート３０は、定着器ユニット９０から排出された被記録媒体が最初に接触する部位に配設されたフロントシュート３１、及びフロントシュート３１よりも被記録媒体搬送方向下流側に配設されたアウタシュート３２を有して構成されている。また、フロントシュート３１及びアウタシュート３２には、それぞれ、被記録媒体搬送方向に沿って延びる突状のフロントシュートリブ３１ａ及びアウタシュートリブ３２ａが複数本形成されており、被記録媒体は、これらのリブ３１ａ、３２ａの先端側に接触しながら第２排出シュート４０に向けて案内される。また、第１排出シュート３０には、第１排紙ローラ３４ａが設けられ、定着器ユニット９０側の第１排紙ローラ３４ａと対向する位置には、第１ピンチローラ３４ｂが設けられている。
【００３８】
第１排紙ローラ３４ａは、被記録媒体に接触しながら回転することにより被記録媒体に搬送力を付与する搬送ローラであり、第１ピンチローラ３４ｂは、被記録媒体を挟んで第１排紙ローラ３４ａと反対側から被記録媒体を第１排紙ローラ３４ａ側に押圧するものである。このため、定着器ユニット９０から排出された被記録媒体は、第１排紙ローラ３４ａ及び第１ピンチローラ３４ｂにより挟まれるようにして第２排出シュート４０側に搬送される。
【００３９】
２．４．第２排出シュート
第２排出シュート４０は、第１排出シュート３０に対して所定の隙間４０ａを有して上カバー９に設けられ、第１排出シュート３０にて搬送方向が略９０°転向された被記録媒体を更に略９０°転向させて排出部７に案内する。
【００４０】
また、第１排出シュート３０と第２排出シュート４０との隙間４０ａは、正逆切替機構５０にて搬送方向が反転された被記録媒体の搬送通路（太い二点鎖線で示された搬送経路）の一部を構成している。因みに、図２中、太い一点鎖線で示された搬送経路が、フィーダ部２０にて搬送される被記録媒体の搬送通路を示している。
【００４１】
２．５．正逆切替機構及び両面印刷ユニット
正逆切替機構５０は、第２排紙ローラ４３の回転の向きを切り替えることより、第１排出シュート３０から搬送されてきた被記録媒体を排出部７（排紙トレイ５）側に搬送する場合と隙間４０ａ側に搬送する場合とを切り替えるものである。この正逆切替機構５０は、例えば、後述のＤＣモータ４４０（図４参照）で発生した回転力を第２排紙ローラ４３まで伝達する歯車の個数を、図示しないソレノイドにより切り換えて第２排紙ローラ４３の回転方向を切り換える機構である。なお、第２排紙ローラ４３と対向配置された第２ピンチローラ４３ｂは、第２排紙ローラ４３と協働して被記録媒体を挟み込むようにして回転することにより、被記録媒体と第２排紙ローラ４３との接触面圧を高めている。
【００４２】
両面印刷ユニット６０は、被記録媒体の搬送方向（前後方向）に延びるように突状に形成された複数本の案内リブ（図示せず）と、回転しながら被記録媒体に接触することにより被記録媒体に搬送力を付与する複数のローラ（図示せず）とを備え、第２排紙ローラ４３から隙間４０ａを介して搬送されてきた被記録媒体を画像形成部１０に搬送するものである。
【００４３】
２．６．電源ユニット
定着器ユニット９０と両面印刷ユニット６０との間には、レーザプリンタ１の各部に電力を供給する電源ユニット１００が配設されている。次に、この電源ユニット１００の構成について、図３の回路図を用いて説明する。なお、この電源ユニット１００は、各種モータ等に供給する電圧（本実施の形態では２４Ｖ）と、各部を制御するロジック回路等に供給する電圧（本実施の形態では３．３Ｖ）とを、並行して出力するものである。
【００４４】
図３に示すように、この電源ユニット１００は、トランス２００の１次側に、商用電源１１０（ＡＣ１００Ｖ）から供給される電流を整流する整流回路１２０、平滑用コンデンサ１３０の他に、トランス２００の１次側コイルへの通電をスイッチングするスイッチング素子１４０、スイッチング素子１４０のＯＮ／ＯＦＦを制御する発振制御回路１５０を備えている。
【００４５】
発振制御回路１５０は、後述する２次側のフォトダイオード１６１と共にフォトカプラを構成し、フォトダイオード１６１の発光を受けてＯＮ／ＯＦＦが切り替わるフォトトランジスタ１６０を内部に備えている。本実施の形態では、発振制御回路１５０は、フォトトランジスタ１６０のＯＮ／ＯＦＦにより規定される発振周波数にてスイッチング素子１４０が発振を起こす自励式の構成を想定しているが、ＰＷＭ−ＩＣ等を用いてトランス２００の１次側への通電時間を制御する他励式の構成であってもよい。なお、本実施の形態では、スイッチング素子１４０がＯＮとなったときにトランス２００にエネルギが蓄積され、１次側のスイッチング素子１４０がＯＦＦとなったときに２次側に起電力が生じるフライバック方式の構成を採用した。
【００４６】
トランス２００の２次側には、整流素子３１０を介して２４Ｖの電圧を出力する第１出力ライン３１１と、整流素子３１２を介して３．３Ｖの電圧を出力する第２出力ライン３１３とが設けられている。第２出力ライン３１３に出力される３．３Ｖの電圧は、前述のようにロジック回路等に供給されるため安定化する必要がある。そこで、電源ユニット１００では、第２出力ライン３１３とグランドライン３１４との間にフォトダイオード１６１を接続し、このフォトダイオード１６１とフォトカプラを構成するフォトトランジスタ１６０によって第２出力ライン３１３の出力電圧を１次側にフィードバックしている。
【００４７】
フォトダイオード１６１が点灯するのは、第２出力ライン３１３の出力が所定の値より高くなり、シャントレギュレータ３２１が第２出力ライン３１３からグランドライン３１４の方向へ導通状態となった場合である。なお、シャントレギュレータ３２１が導通状態となる第２出力ライン３１３の電圧は、可変抵抗３３０により微調整することができる。本実施の形態のように自励式の場合、フォトダイオード１６１が点灯することによりスイッチング素子１４０の発振周波数が上がり、トランス２００の１次側の通電量が減少し、２次側の電圧が下がる方向にフィードバック制御される。逆に、第２出力ライン３１３の電圧が低くなると、フォトダイオード１６１が消灯し、１次側の通電量が増加する。
【００４８】
２．７．冷却用ファン及び制御系
図１，図２に示すように、更に、レーザプリンタ１は、冷却用ファンとして、定着器ユニット９０を中心に画像形成部１０の全体を冷却するメインファン４１０と、主として電源ユニット１００を冷却するＰＳファン４２０とを備えている。そして、これらのメインファン４１０，ＰＳファン４２０は、図４に示すように、ソレノイド４３０，ＤＣモータ４４０，及びポリゴンモータ４５０と共に、ＣＰＵを内蔵したＡＳＩＣ（application specific integrated circuit ）５００に、接続されている。なお、図４に示すソレノイド４３０は、ＤＣモータ４４０で発生した回転力を給紙ローラ２２へ伝達するか否かを切り換えるものである。また、メインファン４１０，ＰＳファン４２０，ソレノイド４３０，ＤＣモータ４４０，ポリゴンモータ４５０などは、電源ユニット１００の第１出力ライン３１１から電力が供給される。
【００４９】
また、図４に示すように、ＡＳＩＣ５００は、メインファン駆動回路４１１を介してメインファン４１０に接続され、このメインファン駆動回路４１１を介してメインファン４１０に前述の２４Ｖを通電するか否かを切り換える。同様に、ＡＳＩＣ５００は、ＰＳファン駆動回路４２１を介してＰＳファン４２０に接続され、このＰＳファン駆動回路４２１を介してＰＳファン４２０に前述の２４Ｖを通電するか否かを切り換える。更に、ＡＳＩＣ５００は、ソレノイド駆動回路４３１を介してソレノイド４３０に接続され、このソレノイド駆動回路４３１を介してソレノイド４３０に前述の２４Ｖを通電するか否かを切り換える。
【００５０】
また、ＡＳＩＣ５００は、ＤＣモータ駆動回路４４１を介してＤＣモータ４４０に接続され、更に、ＤＣモータ駆動回路４４１とＡＳＩＣ５００との間にはＤ／Ａ変換回路４４２も接続されている。ＡＳＩＣ５００は、ＤＣモータ４４０に前述の２４Ｖを通電するか否かを切り換えるためのＯＮ／ＯＦＦ信号をＤＣモータ駆動回路４４１に直接入力する一方、ＤＣモータ４４０の駆動電流制御信号としてのＰＷＭ信号を、Ｄ／Ａ変換回路４４２を介してＤＣモータ駆動回路４４１に入力する。同様に、ＡＳＩＣ５００は、ポリゴンモータ駆動回路４５１を介してポリゴンモータ４５０に接続され、更に、ポリゴンモータ駆動回路４５１とＡＳＩＣ５００との間にはＤ／Ａ変換回路４５２も接続されている。ＡＳＩＣ５００は、ポリゴンモータ４５０に前述の２４Ｖを通電するか否かを切り換えるためのＯＮ／ＯＦＦ信号をポリゴンモータ駆動回路４５１に直接入力する一方、ポリゴンモータ４５０の駆動電流制御信号としてのＰＷＭ信号を、Ｄ／Ａ変換回路４５２を介してポリゴンモータ駆動回路４５１に入力する。
【００５１】
また、ＤＣモータ４４０には、その回転速度を検知するＤＣモータ速度検知回路４４３が接続され、検出結果をＡＳＩＣ５００に入力している。更に、ＤＣモータ駆動回路４４１には、その通電電流を検出するＤＣモータ駆動電流検出回路４４４が接続され、検出結果をＡＳＩＣ５００に入力している。同様に、ポリゴンモータ４５０にはポリゴンモータ速度検知回路４５３が、ポリゴンモータ駆動回路４５１にはポリゴンモータ駆動電流検出回路４５４が、それぞれ接続され、検出結果をそれぞれＡＳＩＣ５００に入力している。
【００５２】
３．実施の形態のレーザープリンタにおける制御
次に、ＡＳＩＣ５００で実行される制御について説明する。ＡＳＩＣ５００は、画像形成処理に応じて被記録媒体の供給／非供給を切り換えるために、ソレノイド４３０のＯＮ／ＯＦＦを適宜切り換える。この処理は、周知であるため、ここでは説明を省略する。そして、ＡＳＩＣ５００は、このソレノイド４３０のＯＮ／ＯＦＦに応じて、メインファン４１０及びＰＳファン４２０のＯＮ／ＯＦＦを次のように切り換える。
【００５３】
図５は、ソレノイド４３０のＯＮ／ＯＦＦに伴うＡＳＩＣ５００の制御、及びそれによる電流変化を表すタイミングチャートである。なお、図５において、ＦＡＮ１はメインファン４１０を、ＦＡＮ２はＰＳファン４２０を、それぞれ表している。
【００５４】
図５に示すように、ＡＳＩＣ５００は、通常はメインファン４１０及びＰＳファン４２０を共に全速で駆動している。そして、時刻ｔ1 にてソレノイド４３０をＯＮすると、同時に、メインファン４１０を全速の３５％で駆動する。続く時刻ｔ2 では、ＰＳファン４２０を全速の４５％で駆動し、時刻ｔ3 ではそのＰＳファン４２０を停止し、更に続く時刻ｔ4 ではメインファン４１０を停止する。また、ＡＳＩＣ５００は、時刻ｔ5 にてソレノイド４３０をＯＦＦすると、同時に、メインファン４１０及びＰＳファン４２０を一斉に駆動する。
【００５５】
このようなＡＳＩＣ５００の制御により、ソレノイド４３０を流れるソレノイド電流、メインファン４１０を流れるＦＡＮ１電流、ＰＳファン４２０を流れるＦＡＮ２電流、並びに、電源ユニット１００の第１出力ライン３１１から出力される２４Ｖ電流及び２４Ｖ電圧は、次のように変化する。
【００５６】
すなわち、ソレノイド電流は、時刻ｔ1 で立ち上がり、比較的緩やかに増加して時刻ｔ4 の少し後まで増加し続ける。このとき、ＦＡＮ１電流は時刻ｔ1 と時刻ｔ4 とで、ＦＡＮ２電流は時刻ｔ2 と時刻ｔ3 とで、それぞれ段階的に減少し、それらの各時刻における減少は比較的急峻である。このため、ソレノイド電流の増加と、時刻ｔ1 〜時刻ｔ4 におけるＦＡＮ１電流，ＦＡＮ２電流の減少とが相殺し合い、２４Ｖ電流の変動が抑制される。このため、２４Ｖ電圧の変動が抑制され、ＤＣモータ４４０の回転数（モータ回転数）の変動も抑制することができる。
【００５７】
また、ソレノイド電流は、時刻ｔ5 で比較的急峻に減少し、時刻ｔ6 には安定化する。このとき、時刻ｔ5 にてＦＡＮ１電流，ＦＡＮ２電流が同時に増加し、その増加も比較的急峻であるので、ソレノイド電流の減少とＦＡＮ１電流，ＦＡＮ２電流の増加とが相殺し合い、２４Ｖ電流，２４Ｖ電圧の変動を抑制してモータ回転数の変動も抑制することができる。
【００５８】
このように、本実施の形態では、ソレノイド電流の変動とＦＡＮ１電流，ＦＡＮ２電流の変動とを互いに相殺させることにより、２４Ｖ電圧の変動を良好に抑制することができる。このため、ＤＣモータ４４０の回転数（モータ回転数）の変動を抑制して、安定した画像形成を行うことができる。なお、図５の最下行には、メインファン４１０及びＰＳファン４２０をソレノイド４３０のＯＮ／ＯＦＦに関わらず全速で駆動し続ける従来例におけるモータ回転数の変動を示したので、参照されたい。この従来例と比較することにより、本実施の形態では極めて良好にモータ回転数の変動を抑制することができることが分かる。
【００５９】
しかも、本実施の形態では、メインファン４１０及びＰＳファン４２０を利用して上記電流を相殺しており、これらのファンは一時的に駆動を停止してもレーザプリンタ１の主たる動作に影響を及ぼさない。従って、本実施の形態では、レーザプリンタ１の主たる動作に影響を及ぼすことなく２４Ｖ電流，２４Ｖ電圧の変動を抑制することができる。
【００６０】
なお、上記実施の形態において、ソレノイド４３０が第１の電装品に、メインファン４１０及びＰＳファン４２０が他の電装品に、ＡＳＩＣ５００が駆動制御手段に、それぞれ相当する。また、本発明は上記実施の形態になんら限定されるものではなく、本発明の要旨を逸脱しない範囲で種々の形態で実施することができる。例えば、第１の電装品及び他の電装品としては、上記の他、種々の形態が考えられる。
【００６１】
４．本発明の他の実施の形態
図６（Ａ）は、ＡＳＩＣ５００に、トランジスタを主要部とするソレノイド駆動回路４３１を介してソレノイド４３０（第１の電装品に相当）が接続され、更に、同じくトランジスタを主要部とするコンデンサ駆動回路４６１を介してコンデンサ４６０（他の電装品に相当）が接続された例を表している。この実施の形態では、ＡＳＩＣ５００は、ソレノイド駆動回路４３１を介してソレノイド４３０に２４Ｖを通電するか否かを切り換え、コンデンサ駆動回路４６１を介してコンデンサ４６０の充放電を切り換えることができる。
【００６２】
この場合、コンデンサ駆動回路４６１のトランジスタをＯＮしてコンデンサ４６０を放電状態に維持しているときは、抵抗４６２，４６３を介して一定量の電流が流れる。コンデンサ駆動回路４６１のトランジスタをＯＦＦしてコンデンサ４６０を充電すると電流量は緩やかに減少して０になり、コンデンサ４６０を放電すると電流量は急峻に増加して上記一定量に達する。
【００６３】
そこで、ＡＳＩＣ５００は、図６（Ｂ）に示すように、ソレノイド４３０をＯＮすると同時にコンデンサ４６０を放電状態から充電状態に切り換え、ソレノイド４３０をＯＦＦすると同時にコンデンサ４６０を充電状態から放電状態に切り換える。すると、ソレノイド４３０を流れるソレノイド電流と、コンデンサ４６０のプルアップ抵抗４６３を流れる充放電流とがちょうど相殺し合い、モータ回転数を一定に保つことが可能となる。更に、本発明は画像形成装置以外の電子機器にも適用することができる。
【図面の簡単な説明】
【００６４】
【図１】本発明を適用したレーザプリンタの外観を表す斜視図である。
【図２】そのレーザプリンタの内部構成を表す縦断面図である。
【図３】そのレーザプリンタの電源ユニットの構成を表す回路図である。
【図４】そのレーザプリンタの制御系の構成を表すブロック図である。
【図５】その制御系による制御及びその制御による電流変化を表すタイミングチャートである。
【図６】他の実施の形態の制御系の構成、及び、その制御系による制御に応じた電流変化を表すタイミングチャートである。
【符号の説明】
【００６５】
１…レーザプリンタ    １０…画像形成部    ２０…フィーダ部    ２２…給紙ローラ
７０…スキャナ部            ７２…ポリゴンミラー    ８０…プロセスカートリッジ
８１…感光体ドラム          ９０…定着器ユニット    １００…電源ユニット
１４０…スイッチング素子    １５０…発振制御回路    １６０…フォトトランジスタ
１６１…フォトダイオード    ２００…トランス        ３１１…第１出力ライン
３１３…第２出力ライン      ４１０…メインファン    ４１１…メインファン駆動回路
４２０…ＰＳファン    ４２１…ＰＳファン駆動回路    ４３０…ソレノイド
４３１…ソレノイド駆動回路    ４４０…ＤＣモータ    ４４１…ＤＣモータ駆動回路
４４２…Ｄ／Ａ変換回路                      ４４３…ＤＣモータ速度検知回路
４４４…ＤＣモータ駆動電流検出回路          ４５０…ポリゴンモータ
４５１…ポリゴンモータ駆動回路              ４５２…Ｄ／Ａ変換回路
４５４…ポリゴンモータ駆動電流検出回路      ４６０…コンデンサ
４６１…コンデンサ駆動回路
【図３】
0004696726.tif 000002
【図４】
0004696726.tif 000003
【図５】
0004696726.tif 000004
【図６】
0004696726.tif 000005
【図１】
0004696726.tif 000006
【図２】
0004696726.tif 000007